(57)【要約】　　　（修正有）【課題】発熱を中断させて、必要なときに使用することができ、カイロの寿命を延ばすことができる使い捨てカイロ用収納容器を提供する。【解決手段】一端が開口され、内部に使い捨てカイロを収納し得る空間を有する容器本体１と、前記開口部に装着され、少なくとも１つの内孔４が形成された内蓋２と、該内蓋を覆うように前記開口部に回動自在に装着され、前記内孔と連通し得る少なくとも１つの外孔５が形成された外蓋３とからなる。該外蓋の回動により、前記容器本体の空間が前記内孔および外孔を介して外部と連通する状態と、前記容器本体の空間と外部との連通が、前記外蓋の壁部が内孔を塞ぐことにより遮断された状態とが得られる。【選択図】　　　　図１
0003096852.tif 000002
【実用新案登録請求の範囲】
【請求項１】
一端が開口され、内部に使い捨てカイロを収納し得る空間を有する容器本体と、前記開口部に装着され、少なくとも１つの内孔が形成された内蓋と、該内蓋を覆うように前記開口部に回動自在に装着され、前記内孔と連通し得る少なくとも１つの外孔が形成された外蓋
とからなり、該外蓋の回動により、前記容器本体の空間が前記内孔および外孔を介して外部と連通する状態と、前記容器本体の空間と外部との連通が、前記外蓋の壁部が内孔を塞ぐことにより遮断された状態とが得られることを特徴とする使い捨てカイロ用収納容器。
【請求項２】
一端が開口され、内部に使い捨てカイロを収納し得る空間を有する容器本体と、前記開口部の周縁に立設された突起部と、前記開口部に回動自在に装着された蓋
とからなり、前記突起部の外表面には雄ネジ部が形成されており、前記蓋の内表面には前記雄ネジ部と螺合し得る雌ネジ部が形成されており、前記蓋の回動により、前記容器本体の空間が外部と連通する状態と、該連通が遮断された状態とが得られることを特徴とする使い捨てカイロ用収納容器。
【請求項３】
一端が開口され、内部に使い捨てカイロを収納し得る空間を有する容器本体と、前記開口部の周縁に立設された突起部と、前記開口部に回動自在に装着された蓋
とからなり、前記突起部の外表面には当該突起部の根元から先端へ向かう溝が形成されており、前記蓋の内表面には前記溝と嵌合し得る凸部が形成されており、前記蓋の回動により、前記容器本体の空間が外部と連通する状態と、該連通が遮断された状態とが得られることを特徴とする使い捨てカイロ用収納容器。
【考案の詳細な説明】
【０００１】
【考案の属する技術分野】
本考案は使い捨てカイロ用収納容器に関する。さらに詳しくは、空気の存在下で発熱するタイプのカイロを収納する容器であって、容器の蓋を回動させることでカイロと空気との接触を遮断して発熱を中断させ、カイロの寿命を延ばすことができる使い捨てカイロ用収納容器に関する。
【０００２】
【従来の技術】
従来より、空気の存在下で発熱する発熱組成物を通気性の収納袋（内袋）に収容し、この内袋を非通気性の袋（外袋）で包装した使い捨てカイロが知られている。かかるカイロとしては、手足や腰部を温めるもの以外に、足の裏、肩、臀部など身体の種々の部位を対象にしたものが提案されており、また所定の部位に貼りつけて当該部位を効果的に温めるために内袋の表面に粘着剤層を設けたものも提案されている。
【０００３】
このような使い捨てカイロは、外袋を開封して、内袋内の発熱組成物を空気と接触させることにより発熱が開始し、所定の時間温かい状態が維持される。
【０００４】
【考案が解決しようとする課題】
しかしながら、従来の使い捨てカイロは、いったん外袋を開封してしまうと、内袋は常時空気にさらされた状態にあるため、カイロが不要になっても内袋内の発熱組成物は空気中の酸素と反応をし続けることになる。このため、カイロによる加熱を必要としないときにもカイロは発熱を続け、カイロが無駄に使われてしまうことがある。
【０００５】
本考案は叙上の事情に鑑み、発熱を中断させて、必要なときに使用することができ、カイロの寿命を延ばすことができる使い捨てカイロ用収納容器を提供することを目的とする。
【０００６】
【課題を解決するための手段】
本考案の使い捨てカイロ用収納容器は、一端が開口され、内部に使い捨てカイロを収納し得る空間を有する容器本体と、前記開口部に装着され、少なくとも１つの内孔が形成された内蓋と、該内蓋を覆うように前記開口部に回動自在に装着され、前記内孔と連通し得る少なくとも１つの外孔が形成された外蓋
とからなり、該外蓋の回動により、前記容器本体の空間が前記内孔および外孔を介して外部と連通する状態と、前記容器本体の空間と外部との連通が、前記外蓋の壁部が内孔を塞ぐことにより遮断された状態とが得られることを特徴としている。
【０００７】
また、一端が開口され、内部に使い捨てカイロを収納し得る空間を有する容器本体と、前記開口部の周縁に立設された突起部と、前記開口部に回動自在に装着された蓋
とからなり、前記突起部の外表面には雄ネジ部が形成されており、前記蓋の内表面には前記雄ネジ部と螺合し得る雌ネジ部が形成されており、前記蓋の回動により、前記容器本体の空間が外部と連通する状態と、該連通が遮断された状態とが得られることを特徴としている。
【０００８】
さらに、一端が開口され、内部に使い捨てカイロを収納し得る空間を有する容器本体と、前記開口部の周縁に立設された突起部と、前記開口部に回動自在に装着された蓋
とからなり、前記突起部の外表面には当該突起部の根元から先端へ向かう溝が形成されており、前記蓋の内表面には前記溝と嵌合し得る凸部が形成されており、前記蓋の回動により、前記容器本体の空間が外部と連通する状態と、該連通が遮断された状態とが得られることを特徴としている。
【０００９】
【考案の実施の形態】
以下、添付図面を参照しつつ、本考案の使い捨てカイロ用収納容器を詳細に説明する。
【００１０】
実施の形態１
図１は本考案の実施の形態１にかかわる使い捨てカイロ用収納容器の概略説明図、図２は図１に示される収納容器における、容器本体、内蓋および外蓋の装着部分の断面説明図である。
【００１１】
図１において、１は一端が開口され、内部に使い捨てカイロを収納し得る空間を有する容器本体を示しており、本実施の形態では、該容器本体１は、開口部の反対側が先細となった略筒状を呈している。本考案において、使い捨てカイロとは、空気の存在下で酸化発熱する発熱組成物が封入された通気性の袋体（内袋）を意味しており、この内袋は、通常、気密性の外袋内に収納された状態で市販されている。そして、使用時に本考案の使い捨てカイロ用収納容器に入れられるが、該収納容器内に内袋を入れたものを気密性の袋に入れて販売するようにしてもよい。
【００１２】
前記内袋は、通気小孔または微細孔群を有する偏平状の通気性袋であり、少なくともその一部が通気性面である。
【００１３】
前記内袋の通気性については、とくに限定はないが、通気孔の大きさは内容物がこぼれない程度であればよく、たとえば０．５ｍｍ以下程度であり、また通気量は、発熱性組成物が発熱し得る範囲であればよく、本考案においてとくに限定されるものではない。
【００１４】
前記内袋の材質としては、とくに制限はないが、毛羽立たず、柔らかく、強度があり、品質が安定しており、ヒートシール性を有するものが好ましく、ポリウレタン、ポリプロピレンもしくはポリエチレンまたはそれらを改質したプラスチック質またはゴム質のような柔軟性の熱可塑性シートないしフィルムや、不織布、あるいはポリ塩化ビニル、ポリエステル、ポリスチレンの単層または複合層などを用いることができる。
【００１５】
内袋の内部には空気の存在下で酸化発熱する発熱組成物が封入されている。
【００１６】
内袋に封入する発熱組成物としては、たとえば鉄粉などの金属粉、活性炭、水、保水剤（木粉、バーミキュライト、けい藻土、パーライト、シリカゲル、アルミナ、吸水性樹脂など）、食塩などからなるものを用いることができるが、これらに限定されるものではない。
【００１７】
容器本体１の開口部には、少なくとも１つの内孔４が形成された内蓋２が装着されている。内孔４の形状は略円形であり、本実施の形態では、３つの内孔４が等間隔に形成されている。そして、前記内蓋２を覆うように前記開口部に外蓋３が回動自在に装着されている。該外蓋３にも前記内孔４と連通し得る少なくとも１つの外孔５が形成されており、内孔４と同様に略円形の３つの外孔５が等間隔に形成されている。
【００１８】
内蓋２と外蓋３は、いずれもドーム形状を呈しており、図２に示されるように、内蓋２の外表面と外蓋３の内表面とが接触するか、または非常に小さい隙間を介して向き合うように、寸法が設定されている。
【００１９】
前記容器本体１、内蓋２および外蓋３は、たとえばポリプロピレン、ポリエステル、ポリエチレンなどの合成樹脂を射出成形などしたり、またはポリウレタン、ポリエチレン、ポリエステルなどの合成樹脂の発泡体を真空成形などすることで得ることができる。
【００２０】
図１〜２に示されるように、容器本体１の外表面の開口端付近には環状の第１リブ６が形成されており、また外蓋３の内表面の開口端付近には、前記第１リブ６がはまる深さおよび形状の環状の第１溝が形成されている。さらに、内蓋２の外表面の開口端付近には環状の第２リブ７が形成されており、また容器本体１の内表面の開口端付近には、前記第２リブ７がはまる深さおよび形状の環状の第２溝が形成されている。
【００２１】
外蓋３と容器本体１は、第１リブ６と第１溝８とが係合しているため簡単には分離しないが、少し力を入れて外蓋３を図１〜２において上方へ引き抜くと前記リブと溝の係合が解除されて、外蓋３は容器本体１から分離する。内蓋２と容器本体１の関係も同様である。
【００２２】
本実施の形態の収納容器では、外蓋３が回動自在に容器本体１に装着されているので、外蓋３を回動させて内孔４と外孔５の相対的な位置関係を調整することにより、使い捨てカイロへの空気の供給を遮断することができる。すなわち、内孔４と外孔５が一致するように外蓋３を回動させると、使い捨てカイロを収納している収納容器１の空間と外部は前記内孔４および外孔５を介して連通する状態になる。一方、外蓋３の壁部が内孔４を塞ぐように当該外蓋３を回動させると、前記容器本体１の空間と外部との連通は遮断される。このように外蓋３の回動という簡単な操作によって、使い捨てカイロの使用状態と非使用状態を達成することができる。
【００２３】
実施の形態２
図３は本考案の実施の形態２にかかわる使い捨てカイロ用収納容器の概略説明図であり、図４は図３に示される収納容器における、容器本体と蓋の装着部分の断面説明図である。
【００２４】
図３〜４において、１１は一端が開口され、内部に使い捨てカイロを収納し得る空間を有する容器本体を示しており、本実施の形態では、該容器本体１１は有底の短円筒形状を呈している。
【００２５】
容器本体１１の開口部の周縁には４つの突起部１３が等間隔に立設されており、前記開口部には、皿状の蓋１２が回動自在に装着されている。
【００２６】
前記突起部１３の外表面には雄ネジ部１４が形成されており、また、蓋１２の内表面の開口端付近には前記雄ネジ部１４と螺合し得る雌ネジ部１５が形成されている。なお、蓋１２が容器本体１１から簡単にはずれないように、突起部１３の先端付近の雄ネジ部１４のネジ山はつぶされている。
【００２７】
前記蓋１２を反時計廻りに回すと、当該蓋１２は容器本体１１から離れていき、やがて前述したネジ山のつぶれにより小さな力では蓋１２が廻せなくなる。このとき蓋１２の先端面１２ａと容器本体１１の先端面１１ａとのあいだに隙間が生じており、容器本体１１の内部の空間が外部と連通している状態になる。この状態では、容器本体１１内のカイロの発熱組成物は空気中の酸素と接触し得るので酸化発熱反応が起こり、カイロは徐々に温かくなる。そして、カイロの使用を中断したいときは、蓋１２を時計廻りに回していくと前記蓋１２の先端面１２ａが容器本体１１の先端面１１ａに当接して蓋１２が廻せなくなる。この状態では、容器本体１１内の空間は外部との連通が遮断されるので、カイロの反応は停止する。カイロを交換するときは、蓋１２を反時計方向に回しきった状態で少し力を入れて蓋１２を容器本体１１からひきはがすようにすれば、蓋１２をはずすことができる。
【００２８】
実施の形態３
図５は本実施の形態３にかかわる使い捨てカイロ用収納容器の概略説明図である。実施の形態２では、ネジを利用して蓋を容器本体から離れる方向に移動させているが、これ以外にも、たとえば前記突起部１３の外周面に図５に示されるような溝（突起部１３の根元から先端へ向かう溝）１６を形成し、一方、蓋１２の内表面の開口端付近に前記溝１６にはまる大きさの凸部（図示せず）を設け、蓋１２の回動により該凸部を溝１６内を移動させることで、前記蓋１２を容器本体１１から離れる方向に移動させるようにしてもよい。
【００２９】
【考案の効果】
以上説明したとおり、本考案の使い捨てカイロ用収納容器によれば、容器の蓋を回動させるという簡単な操作でカイロの使用状態と非使用状態を切り換えることができ、必要なときだけカイロを有効に利用することでカイロの寿命を延ばすことができる。
【図面の簡単な説明】
【図１】本考案の実施の形態１にかかわる使い捨てカイロ用収納容器の概略説明図である。
【図２】図１に示される収納容器における、容器本体、内蓋および外蓋の装着部分の断面説明図である。
【図３】本考案の実施の形態２にかかわる使い捨てカイロ用収納容器の概略説明図である。
【図４】図３に示される収納容器における、容器本体と蓋の装着部分の断面説明図である。
【図５】本考案の実施の形態３にかかわる使い捨てカイロ用収納容器の概略説明図である。
【符号の説明】
１、１１　容器本体
２　内蓋
３　外蓋
４　内孔
５　外孔
６　第１リブ
７　第２リブ
８　第１溝
９　第２溝
１２　蓋
１３　突起部
【図１】
0003096852.tif 000003
【図２】
0003096852.tif 000004
【図３】
0003096852.tif 000005
【図４】
0003096852.tif 000006
【図５】
0003096852.tif 000007